(57)【特許請求の範囲】
【請求項１】
放送端末機における放送番組情報のローミング方法であって、
該方法は、
該放送端末機がハンドオーバーされるときに、放送番組情報マッピングサービス提供者からスキーマデータ変換のためのメタデータインターフェースを受信し、該受信されたメタデータインターフェースを格納することと、
ハンドオーバーされた領域の放送番組情報を受信することと、
該受信された放送番組情報が、放送端末機によって処理可能な固有の条件を満足するかどうかを決定することと、
該放送番組情報が該固有の条件を満足しない場合、該ハンドオーバーされた領域に対応する該格納されたメタデータインターフェースを用いることにより、該受信された放送番組情報のスキーマデータを、該放送端末機によって処理可能な別のスキーマデータに変換することと
を含む、方法。
【請求項２】
前記放送番組情報の変換のための前記メタデータインターフェースは、前記放送端末機において予め受信されたデータを示す、請求項１に記載の方法。
【請求項３】
前記放送番組情報の変換のための前記メタデータインターフェースは、前記放送番組情報マッピングサービス提供者から移動通信網を通して受信される、請求項２に記載の方法。
【請求項４】
前記放送番組情報の変換のための前記メタデータインターフェースは、前記放送番組情報マッピングサービス提供者からインターネットを通して受信される、請求項１に記載の方法。
【請求項５】
前記放送端末機によって処理可能な前記固有の条件は、前記受信された放送番組情報のスキーマ構造が予め格納された放送番組情報のスキーマ構造と異なる場合に実行される、請求項１に記載の方法。
【請求項６】
前記放送端末機によって処理可能な前記固有の条件は、前記受信された放送番組情報の言語が予め格納された放送番組情報の言語と異なる場合に実行される、請求項１に記載の方法。
【請求項７】
放送番組情報ローミング機能を装備した放送端末機であって、
該放送端末機がハンドオーバーされるときに、放送番組情報マッピングサービス提供者からスキーマデータ変換のためのメタデータインターフェースの情報を受信し、放送送信機からハンドオーバーされた領域の放送番組情報を受信する無線周波数（ＲＦ）受信部と、
該受信されたメタデータインターフェースの情報を格納するメモリと、
該受信された放送番組情報を分析し、該受信された放送番組情報が、該放送端末機によって処理可能な固有の条件を満足するかどうかを決定し、該放送番組情報が該固有の条件を満足しない場合、該ハンドオーバーされた領域に対応する該格納されたメタデータインターフェースの情報を用いることにより、該受信された放送番組情報のスキーマデータを、該放送端末機によって処理可能な別のスキーマデータに変換する制御部と
を含む、放送端末機。
【請求項８】
前記制御部は、前記受信された放送番組情報のスキーマが予め格納された放送番組情報のスキーマと異なる場合に、現在のスキーマデータを前記放送端末機によって処理可能な別のスキーマデータに変換する、請求項７に記載の放送端末機。
【請求項９】
前記制御部は、前記受信された放送番組情報の言語が予め格納された放送番組情報の言語と異なる場合に、現在のスキーマデータを前記放送端末機によって処理可能な別のスキーマデータに変換する、請求項７に記載の放送端末機。
【請求項１０】
前記放送番組情報の変換のための前記メタデータインターフェースの情報は、移動通信網を通して受信される、請求項７に記載の放送端末機。
【請求項１１】
前記放送番組情報の変換のための前記メタデータインターフェースの情報は、インターネットを通して受信される、請求項７に記載の放送端末機。
【発明の詳細な説明】
【技術分野】
【０００１】
本発明は、移動通信端末機に関するもので、詳しくは、デジタル放送を受信できる移動通信端末機において、電子プログラムガイド（Ｅｌｅｃｔｒｏｎｉｃ  Ｐｒｏｇｒａｍ  Ｇｕｉｄｅ：ＥＰＧ）用メタデータインターフェースを用いてローミング（ｒｏａｍｉｎｇ）機能を行う移動通信端末機及びこれを用いたローミング方法に関するものである。
【背景技術】
【０００２】
代表的なデジタルマルチメディアコンテンツといえるデジタル放送を視聴するためには、放送プログラム編成情報、例えば、電子プログラムガイド（Ｅｌｅｃｔｒｏｎｉｃ  Ｐｒｏｇｒａｍ  Ｇｕｉｄｅ：以下、ＥＰＧという）と称されるデジタル放送サービス情報が必要である。
【０００３】
ＥＰＧは、放送データのチャネル、時刻表及び題目などの情報が記述されたサービス情報（Ｓｅｒｖｉｃｅ  Ｉｎｆｏｒｍａｔｉｏｎ：以下、ＳＩという）である。従来のＥＰＧには、放送事業者及び放送種類別に異なる放送サービス形式が構成されている。ＥＰＧの提供方法は、放送用端末機ごとに固有のＥＰＧ処理及び表現エンジンが異なっている。したがって、放送形式の異なるＥＰＧ情報を利用するには限界がある。ＥＰＧ情報は、放送サービスの下部に位置し、使用者は、各放送サービス別インターフェースを通してＥＰＧ情報を使用する。ＥＰＧ情報の構造は、各放送事業者及び放送サービス別に異なっている。例えば、地上波マルチメディア放送（ＴＤＭＢ）は、ＥＰＧ伝送用チャネルがなく、移動通信社の網を通して伝送される構造である反面、衛星マルチメディア放送（ＳＤＭＢ）は、放送チャネルを通してＥＰＧ伝送が行われる構造であって、それぞれの伝送形式が互いに異なっている。現在は、それぞれの放送形式別受信機が別途に存在しており、多様な形式の放送受信を支援する端末機が開発されている。それぞれのデマルチプレクサは、多様な方式のチューナー／復調器から出力される放送信号ストリームを受信し、この放送信号ストリームをセクション別にフィルタリングする。次いで、各デマルチプレクサは、ＳＩデータを抽出する。各制御部は、同一形式でテーブル構文を分析し、メモリに保存される統合ＥＰＧデータベースを構築する。統合ＥＰＧは、ＯＳＤ（Ｏｎ  Ｓｃｒｅｅｎ  Ｄｉｓｐｌａｙ）信号として使用者に提供される。各放送事業者及び放送形式によるＥＰＧを統合データベースとして保存する従来の技術においては、互いに異なる構造のＥＰＧデータを統合保存するために、放送事業者が提供したＥＰＧデータ構造を必ず変更すべきである。
【０００４】
現在、ＥＰＧは、放送事業者に基づいて放送サービス環境に適する形態で提供されている。移動通信端末機は、放送システムに対応する単一のＥＰＧ使用環境を提供するが、互いに異なる構造のＥＰＧ統合データベースを保存するためには、ＥＰＧデータの保存構造を変更すべきである。すなわち、統合ＥＰＧデータベースが構造変更による統合データであるため、その後に、ＥＰＧの意味構造であるメタデータが変更される場合、新しい放送環境規格に対応しにくいという問題点がある。
【０００５】
現在、国家、事業者、地域別デジタル放送編成情報の規格及び伝送方法は、個別的に存在している。したがって、放送端末機が移動する際、グローバルローミングが要求される。従来のデジタル放送編成情報のローミングのための構成は、図１に示す通りである。
【０００６】
まず、事業者、国家、地域のデジタル放送編成情報のための単一のグローバルリスティングフォーマット（ＧＬＦ）を定義する。各ＩＤＰ（Ｉｎｄｅｐｅｎｄｅｎｔ  Ｄａｔａ  Ｐｒｏｖｉｄｅｒ）１３１，１３２，１３３は、比較的制限されない範囲のプログラムリスティング１１０からプログラミングコンデンツを選択し、受信部１５０に電子的に伝送されるデータファイルを生成する。このために、各ＩＤＰ１３１，１３２，１３３は、ＧＬＦデータファイルエンジン１６１，１６２，１６３をそれぞれ備えている。これらＧＬＦデータファイルエンジン１６１，１６２，１６３を用いて、変換されたＧＬＦデータファイル１４１，１４２，１４３を受信部１５０に伝送する。ＧＬＦデータファイルエンジン１６１，１６２，１６２は、ＩＤＰ１３１，１３２，１３３のうち何れがプログラミングデータファイルを生成したかに関係なく、実質的に完全でかつエラーのないプログラミング情報を有する。チャネルラインアップ１２０は、供給されるプログラミングコンテンツに対して所定の所在地で実際に作用するものである。
【０００７】
ＥＰＧ情報は、ＧＬＦ変換エンジンを経てＧＬＦデータファイルフォーマットに変換されてから伝送される。受信部では、該当のチャネルリストをパーシング（ｐａｒｓｉｎｇ）してＥＰＧ情報を活用する。
【発明の開示】
【発明が解決しようとする課題】
【０００８】
上記のような従来技術においては、全ての国家、地域及び事業者が同一のＧＬＦメタデータ形式でＥＰＧを構成すべきであるという問題があった。現在、全世界の国家、地域及び事業者がそれぞれ固有のＥＰＧデータスキーマを使用しており、今後も、個別的な理由（サービス及びビジネス方式の差異、技術的な差異、チャネル環境の相異など）で、統一したＧＬＦを適用しにくいという問題が発生する。
【０００９】
また、ＧＬＦデータフォーマットを適用することで、プロセス及びチャネル資源の浪費を招くという問題があった。まず、全てのＥＰＧデータは、伝送前にＧＬＦ変換エンジンを経て追加的なプロセスをする。さらに、互いに異なる構造のデータが一つのＧＬＦフォーマットデータに変換された後、一つのＧＬＦフォーマットデータが、それぞれ異なるチャネルを通して伝送されるか、一つのチャネルを通して、統合された膨大な量のデータ形態で伝送される。すなわち、従来技術では、グローバルローミングのために互いに異なる構造を統合しているが、伝送すべきデータ量は、互いに異なる構造の数だけ増加してしまう。
【００１０】
本発明は上記の問題点を解決するためのもので、その目的は、互いに異なるデジタル放送編成情報スキーマ構造を有する地域を移動する際、該当地域のデジタル放送編成情報をローミングできる放送受信端末機及びローミング方法を提供することにある。
【００１１】
本発明の他の目的は、デジタル放送編成情報の変換によってデータ量が変化することなく、ローミング機能を行える放送受信端末機及びローミング方法を提供することにある。
【００１２】
本発明のさらに他の目的は、互いに異なる言語のデジタル放送編成情報マッピングが可能な放送受信端末機及びローミング方法を提供することにある。
【課題を解決するための手段】
【００１３】
上記目的を達成するための本発明に係るローミング方法は、意味構造を中心にデジタル放送編成情報のスキーマを変換することを特徴とする。
【００１４】
本発明に係るローミング方法は、デジタル放送編成情報データを受信する過程と、受信されたデジタル放送編成情報データのスキーマが、端末機によって処理できる条件を満足するかどうかを確認して処理し、前記条件を満足しない場合、デジタル放送編成情報変換用メタデータインターフェースを用いて、前記スキーマを放送受信端末機によって処理できるスキーマのデータ形態に変換する過程と、を含んで構成されることを特徴とする。
【００１５】
本発明に係るローミング方法の細部的な特徴において、前記条件を満足しない場合は、受信されたデジタル放送編成情報のスキーマ構造、または、受信されたデジタル放送編成情報の言語が、内蔵されたものと異なる場合である。
【００１６】
本発明に係るローミング方法の他の細部的な特徴において、前記メタデータインターフェース受信過程は、移動通信網またはインターネット網を通して行われる。
【００１７】
本発明に係るローミング方法の他の細部的な特徴において、前記放送受信所で提供する放送は、デジタルマルチメディア放送（Ｄｉｇｉｔａｌ  Ｍｕｌｔｉｍｅｄｉａ  Ｂｒｏａｄｃａｓｔｉｎｇ：ＤＭＢ）規格を有する。
【００１８】
本発明に係るローミング方法のさらに他の細部的な特徴において、前記デジタルマルチメディア放送（ＤＭＢ）は、衛星ＤＭＢまたは地上波ＤＭＢである。
【００１９】
本発明に係るローミング機能を有する放送端末機は、デジタル放送編成情報マッピングサービス提供者からデジタル放送編成情報変換用メタデータインターフェースを受信し、放送送信部から提供するデジタル放送編成情報データを受信する無線受信部と、デジタル放送編成情報変換用メタデータインターフェースを保存するためのメモリと、受信されたデジタル放送編成情報を分析し、必要に応じて前記デジタル放送編成情報変換用メタデータインターフェースを用いてデジタル放送編成情報データをローミング地域のスキーマに変換する制御部と、を含んで構成されることを特徴とする。
【００２０】
上記目的を達成するために、本発明は、例えば、以下の手段を提供する。
（項目１）
デジタル放送編成情報データを受信する過程と、
受信されたデジタル放送編成情報データのスキーマが、端末機によって処理できる条件を満足するかどうかを確認して処理し、前記条件を満足しない場合、デジタル放送編成情報変換用メタデータインターフェースを用いて、前記スキーマを放送受信端末機によって処理できるスキーマのデータ形態に変換する過程と、を含んで構成されるデジタル放送編成情報ローミング方法。
（項目２）
前記デジタル放送編成情報変換用メタデータインターフェースは、端末機に予め伝達されたデータであることを特徴とする項目１に記載のデジタル放送編成情報ローミング方法。
（項目３）
前記デジタル放送編成情報変換用メタデータインターフェースは、デジタル放送サービス情報マッピングサービス提供者から移動通信網を通して提供されることを特徴とする項目２に記載のデジタル放送編成情報ローミング方法。
（項目４）
前記デジタル放送編成情報変換用メタデータインターフェースは、デジタル放送サービス情報マッピングサービス提供者からインターネット網を通して提供されることを特徴とする項目１に記載のデジタル放送編成情報ローミング方法。
（項目５）
前記スキーマ変換過程において端末機によって処理できる条件は、受信されたデジタル放送編成情報のスキーマ構造が、内蔵されたものと異なる場合に行われることを特徴とする項目１に記載のデジタル放送編成情報ローミング方法。
（項目６）
前記スキーマ変換過程において端末機によって処理できる条件は、受信されたデジタル放送編成情報の言語が、内蔵されたものと異なる場合に行われることを特徴とする項目１に記載のデジタル放送編成情報ローミング方法。
（項目７）
デジタル放送編成情報マッピングサービス提供者からデジタル放送編成情報変換用メタデータインターフェースを受信し、放送送信所から提供するデジタル放送編成情報データを受信する無線受信部と、
デジタル放送編成情報変換用メタデータインターフェースを保存するためのメモリと、
受信されたデジタル放送編成情報を分析し、必要に応じて前記デジタル放送編成情報変換用メタデータインターフェースを用いてデジタル放送編成情報データをローミング地域のスキーマに変換する制御部と、を含んで構成されるデジタル放送編成情報ローミング機能を有する移動通信端末機。
（項目８）
前記制御部は、受信されたデジタル放送編成情報のスキーマ構造が、内蔵されたものと異なる場合にスキーマを変換することを特徴とする項目７に記載のデジタル放送編成情報ローミング機能を有する移動通信端末機。
（項目９）
前記制御部は、受信されたデジタル放送編成情報の言語が、内蔵されたものと異なる場合にスキーマを変換することを特徴とする項目７に記載のデジタル放送編成情報ローミング機能を有する移動通信端末機。
（項目１０）
前記デジタル放送編成情報変換用メタデータインターフェースは、移動通信網を通して受信されることを特徴とする項目７に記載のデジタル放送編成情報ローミング機能を有する移動通信端末機。
（項目１１）
前記デジタル放送編成情報変換用メタデータインターフェースは、インターネット網を通して受信されることを特徴とする項目７に記載のデジタル放送編成情報ローミング機能を有する移動通信端末機。
【発明の効果】
【００２１】
本発明に係る放送端末機においては、互いに異なるスキーマのＥＰＧデータ環境でグローバルローミングを実現できるという効果がある。すなわち、地域、国家、言語及び事業者別に異なるＥＰＧ環境でのローミングが可能である。また、メタデータのマッピング方法は、単語構造でなく意味構造をマッピングするので、互いに異なる言語もマッピングが可能である。
【発明を実施するための最良の形態】
【００２２】
以下、本発明の好適な実施の形態について、添付の図面に基づいて詳細に説明する。
【００２３】
図２は、本発明に係るデジタル放送編成情報ローミングシステムの具現を示す例示図である。図示したように、放送受信が可能な端末機１００を用いて放送を受信していた利用者が、”Ａ”地域から”Ｂ”地域に移動する場合が発生する。このとき、”Ａ”地域の放送送信所４１０と”Ｂ”地域の放送送信所４２０のデジタル放送編成情報は、互いに異なるスキーマ構造を有する。したがって、スキーマ構造は、放送端末機１００が使用可能な形態に変換すべきである。スキーマを変換するときは、メタデータインターフェースが必要である。メタデータインターフェースは、ＥＰＧマッピングサービス提供者３００から移動通信網２１０，２２０を通して提供される。
【００２４】
図２には、メタデータインターフェースが移動通信網を通して提供される場合を示しているが、インターネット網に接続可能な放送端末機の場合、メタデータインターフェースがインターネット網を通して提供されることもある。ＥＰＧマッピングサービス提供者３００は、ＥＰＧスキーママッピングエンジン３１０を備えている。各地域のデジタル放送編成情報データスキーマは、ＥＰＧスキーママッピングエンジン３１０を経てメタデータインターフェースとして生成される。
【００２５】
図３は、本発明に係るデジタル放送編成情報ローミング方法の進行過程を示すフローチャートである。図２に基づいて説明したように、互いに異なるデジタル放送編成情報スキーマ構造を有する地域（Ａ→Ｂ）を移動するローミングが発生した場合、放送端末機は、ＥＰＧマッピングサービス提供者が提供するメタデータインターフェースを受信し（Ｓ３１）、受信されたメタデータインターフェースを端末機の内部メモリに保存する。ここで、メタデータは、放送プログラムのＡＶコンテンツを説明するためのデータをいう（Ｓ３２）。
【００２６】
次いで、”Ｂ”地域に移動した放送端末機１００は、”Ｂ”地域の放送送信所４２０で提供する放送データ及びデジタル放送編成情報を受信する（Ｓ３３）。
【００２７】
端末機内部の制御部は、受信したデジタル放送編成情報が再生条件を満足するかどうかを判断する（Ｓ３４）。
【００２８】
上記の判断結果、受信したデジタル放送編成情報が再生条件を満足していない場合、すなわち、受信されたデジタル放送編成情報のスキーマや言語が、”Ａ”地域のものと異なると判断される場合、制御部は、ダウンロード後に端末機の内部に保存されているメタデータインターフェースを読み込む。次いで、制御部は、前記メタデータインターフェースを用いて、受信されたデジタル放送編成情報のスキーマを、放送端末機によって処理できるスキーマのデータ形態に変換する。
【００２９】
メタデータスキーマは、各地域別スキーマの意味構造を含む形式で、構造及び言語とは関係なしに、意味別に互いにマッピングされる。メタデータのマッピング方法は、単語構造でなく意味構造をマッピングするので、互いに異なる言語もマッピング可能である。また、従来と異なって、伝送前には、ＥＰＧの資料の変換またはデータ量の変化が発生しない。”メタデータインターフェース”は、一度マッピングされると、各スキーマの変換が発生する前には、変更する必要がないという長所がある（Ｓ３５）。
【００３０】
次いで、放送端末機では、変換されたデジタル放送編成情報を用いて、使用者が認識可能な形態でチャネルリスト情報を提供する（Ｓ３６）。
【００３１】
図４は、本発明に係るデジタル放送編成情報ローミング機能を有する端末機の構成を概略的に示すブロック図である。図示したように、前記端末機は、ＥＰＧマッピングサービス提供者からデジタル放送編成情報変換用メタデータインターフェースを受信し、アンテナ１を用いて放送送信所で提供するデジタル放送編成情報データを受信する無線受信部２と、デジタル放送編成情報変換用メタデータインターフェースを保存するためのメモリ３と、受信されたデジタル放送編成情報が、放送端末機によって処理できる条件を満足しない場合、前記メモリ３に保存されたデジタル放送編成情報変換用メタデータインターフェースを用いて、放送端末機によって処理できるスキーマのデータ形態に変換する制御部４と、前記受信部２を通して受信された放送データがディスプレイ６を通して表示されるように処理するＤＭＢチップ（Ｄｉｇｉｔａｌ  Ｍｕｌｔｉｍｅｄｉａ  Ｂｒｏａｄｃａｓｔｉｎｇ  Ｓｙｓｔｅｍ  ｏｎ  Ｃｈｉｐ）５と、を含んで構成される。
【００３２】
図５は、本発明に係るメタデータスキーマ構造の変換例を示す例示図である。メタデータスキーマに”Ｐｒｏｇｒａｍ”項目があり、その下に”ＩＤ”及び”ｔｉｔｌｅ”があると仮定する。このとき、地域１で提供されたＥＰＧが”Ｓｃｈｅｄｕｌｅ”項目の下に”ＩＤ”及び”ｔｉｔｌｅ”を有し、地域２で提供されたＥＰＧが”ｔｉｍｅ”及び”Ｐｒｏｇｒａｍ＿ｔｉｔｌｅ”を有すると仮定すると、二つのＥＰＧのスキーマ構造が異なる場合も、意味上、プログラムの”題目”を示す”ｔｉｔｌｅ”と”Ｐｒｏｇｒａｍ＿ｔｉｔｌｅ”とが互いに異なる位置にあることが分かる。メタデータインターフェースは、上記の点を用いて、”意味”を中心に、地域２の放送送信所から受信したＥＰＧを、放送端末機によって処理できるスキーマ構造に変換する。
【００３３】
以上説明した内容を通して、当業者であれば、本発明の技術思想から逸脱しない範囲で多様な変更及び修正が可能であることを理解できるだろう。したがって、本発明の技術的範囲は、明細書の詳細な説明に記載された内容によって限定されるものではなく、特許請求の範囲によって定められるべきである。
【００３４】
互いに異なるデジタル放送編成情報スキーマ構造を有する地域を移動する際、該当地域のデジタル放送編成情報をローミングできる放送受信端末機及びローミング方法を提供する。
【００３５】
また、デジタル放送編成情報の変換によってデータ量が変化することなく、ローミング機能を行える放送受信端末機及びローミング方法を提供する。
【００３６】
また、互いに異なる言語のデジタル放送編成情報マッピングが可能な放送受信端末機及びローミング方法を提供する。
【００３７】
デジタル放送編成情報データを受信する過程と、受信されたデジタル放送編成情報データのスキーマが、端末機によって処理できる条件を満足するかどうかを確認して処理し、前記条件を満足しない場合、デジタル放送編成情報変換用メタデータインターフェースを用いて、前記スキーマを放送受信端末機によって処理できるスキーマのデータ形態に変換する過程と、を含んでデジタル放送編成情報ローミング方法を構成する。
【００３８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００３９】
【図１】従来のデジタル放送編成情報ローミング方法を示す構成図である。
【図２】本発明に係るデジタル放送編成情報ローミングシステムの具現を示す例示図である。
【図３】本発明に係るデジタル放送編成情報ローミング方法の進行過程を示すフローチャートである。
【図４】本発明に係るデジタル放送編成情報ローミング機能を有する端末機の構成を概略的に示すブロック図である。
【図５】本発明に係るメタデータスキーマ構造の変換例を示す例示図である。
【符号の説明】
【００４０】
１００  放送端末機
２１０，２２０  移動通信網
３００  ＥＰＧマッピングサービス提供者
３１０  ＥＰＧスキーママッピングエンジン
４１０，４２０  放送受信所
【図１】
0004555809.tif 000002
【図２】
0004555809.tif 000003
【図３】
0004555809.tif 000004
【図４】
0004555809.tif 000005
【図５】
0004555809.tif 000006